(57)【要約】【課題】容器組み付け時における噴出ヘッドの向きを容易に位置合わせ可能な液体噴出器を提供する。【解決手段】本発明は、容器の口部上方に配置される環状部1aを有し胴部1bの下端に吸入口が形成されたシリンダ1と、シリンダ1の胴部内側に摺動可能に保持されシリンダ1との間に内容物の充填空間Cを形成するピストン2と、ピストン2の上下動を生起させるヘッド7を有し当該ヘッド7からの噴出を可能にするステム6と、ステム6を貫通させる開口部を有しシリンダ1の内側に固定されるリング部材8と、シリンダ環状部1a上方に配置される天壁9aを有し容器口部31周りにネジ付けられるスクリューキャップ9とを備え、リング部材8の外周に、天壁9a上方から外向きに突出し当該天壁上端9a3を抜け止め保持する突部8bを設ける。【選択図】図１
2010155635.tif 000002
【特許請求の範囲】
【請求項１】
容器の口部上方に配置される環状部を有し胴部の下端に吸入口が形成されたシリンダと、このシリンダの胴部内側に摺動可能に保持され当該シリンダとの間に内容物の充填空間を形成するピストンと、このピストンの上下動を生起させる噴出ヘッドを有し当該噴出ヘッドからの噴出を可能にするステムと、このステムを貫通させる開口部を有しシリンダの内側に固定されるリング部材と、シリンダの環状部上方に配置される天壁を有し容器の口部周りにネジ付けられるスクリューキャップとを備え、
リング部材の外周に、スクリューキャップの天壁上方から外向きに突出し当該天壁の上端を抜け止め保持する突部を設けたことを特徴とする液体噴出器。
【請求項２】
請求項１において、前記突部は、リング部材の全周に亘って形成された部位であることを特徴とする液体噴出器。
【請求項３】
請求項１において、前記突部は、リング部材の周りの少なくとも一箇所に形成された部位であることを特徴とする液体噴出器。
【請求項４】
請求項１乃至３のいずれか１項において、リング部材の外周に、シリンダの環状部上方から外向きに突出し天壁を支持する棚部を備え、当該棚部と突部との間にスクリューキャップの天壁を介在させたことを特徴とする液体噴出器。
【発明の詳細な説明】
【技術分野】
【０００１】
本発明は、容器組み付け時における噴出ヘッドやパイプの向きを容易に位置合わせ可能な液体噴出器に関するものである。
【背景技術】
【０００２】
従来の液体噴出器には、容器内側に配置されるシリンダと、容器の口部にネジ付けられるスクリューキャップとを直接嵌合させるものがある（例えば、特許文献１参照）。
【特許文献１】特開２００１−４８２１５号公報
【発明の開示】
【発明が解決しようとする課題】
【０００３】
こうした液体噴出器は一般的に、その液密性の確保等の目的から、個々の部材が強固に組み付けられている。このため、液体噴出器として組み付けした後は、部材を個々に動かすことが困難な場合がある。
【０００４】
これに対し、上述した従来の液体噴出器は、スクリューキャップを用いて容器にネジ付けると、シリンダがスクリューキャップと共に嵌合するため、結果として噴出ヘッドもいっしょに回転してしまう場合がある。こうした場合、容器への装着と共に噴出ヘッドやパイプの向きを合わせることが困難である。
【０００５】
そこで、容器への装着と同時に、噴出ヘッドの位置決めを行おうとすれば、液体噴出器の組み付け段階で予め、スクリューキャップのネジ付け完了時に噴出ヘッドの噴出口が所望する向きになるように調整しなければならないという煩雑さがある。
【０００６】
本発明の目的とするところは、容器組み付け時における噴出ヘッドの向きを容易に位置合わせ可能な液体噴出器を提供することにある。
【課題を解決するための手段】
【０００７】
本発明の液体噴出器は、容器の口部上方に配置される環状部を有し胴部の下端に吸入口が形成されたシリンダと、このシリンダの胴部内側に摺動可能に保持され当該シリンダとの間に内容物の充填空間を形成するピストンと、このピストンの上下動を生起させる噴出ヘッドを有し当該噴出ヘッドからの噴出を可能にするステムと、このステムを貫通させる開口部を有しシリンダの内側に固定されるリング部材と、シリンダの環状部上方に配置される天壁を有し容器容器の口部周りにネジ付けられるスクリューキャップとを備え、
リング部材の外周に、スクリューキャップの天壁上方から外向きに突出し当該天壁の上端を抜け止め保持する突部を設けたことを特徴とするものである。
【０００８】
本発明には、例えば、容器の口部上方に配置される環状部を有し胴部の下端に吸入口が形成されたシリンダと、このシリンダの胴部内側に摺動可能に保持され当該シリンダとの間に内容物の充填空間を形成するピストンと、このピストンとステムとの関係を、ピストンを摺動可能に貫通する軸部を有しその下端が弾性部材を介して吸入口側に弾性支持される中空のガイド部材と、このガイド部材の内側で保持される軸部を有しシリンダの吸入口を封止可能なバルブと、このバルブと共にピストンの上下動を生起させる噴出ヘッドを有しガイド部材の上端に固定されるステムと、このステムを貫通させる開口部を有しシリンダの内側に固定されるリング部材と、シリンダの環状部上方に配置される天壁を有しその内側からリング部材の上端が露出すると共にの口部周りにネジ付けられるスクリューキャップとを備えるものが挙げられる。
【０００９】
また、上記突部としては、リング部材の全周に亘って形成された部位、リング部材の周りの少なくとも一箇所に形成された部位等が挙げられる。
【００１０】
更に、リング部材の外周には、シリンダの環状部上方から外向きに突出し天壁を支持する棚部を設け、当該棚部と突部との間にスクリューキャップの天壁を介在させることもできる。
【発明の効果】
【００１１】
本発明では、リング部材の外周に、スクリューキャップの天壁上方から外向きに突出し当該天壁の上端を抜け止め保持する突部を設けたことから、スクリューキャップがシリンダ及びリング部材の周りに回転可能に保持されるので、スクリューキャップを回して容器にネジ付ける操作を行ったときも、スクリューキャップ以外のリング部材等の部材は、スクリューキャップに対して空回りすることになる。即ち、本発明によれば、スクリューキャップをネジ付ける操作とは別個の操作で、噴出ヘッドやパイプを所望する向きに合わせることができる。
【００１２】
上記突部を、リング部材の全周に亘って形成された部位とすれば、スクリューキャップに対して強固に組み付けることができるので、耐久性能を高めつつ、噴出ヘッドの向きを容易に位置合わせすることができる。また、上記突部を、リング部材の周りの少なくとも一箇所に形成された部位とすれば、リング部材に対するスクリューキャップの組み付けが比較的容易になるので、組み付け作業性及び生産性を高めつつ、噴出ヘッドやパイプの向きを容易に位置合わせすることができる。
【００１３】
更に、リング部材の外周に、シリンダの環状部上方から外向きに突出し天壁を支持する棚部を設け、当該棚部と突部との間にスクリューキャップの天壁を介在させれば、スクリューキャップをリング部材そのもので保持できるため、レイアウトの自由度を高めつつ、噴出ヘッドやパイプの向きを容易に位置合わせすることができる。
【発明を実施するための最良の形態】
【００１４】
以下、図面を参照して、本発明である、液体噴出器を詳細に説明する。
【００１５】
図１は、本発明の一形態である、オーバーキャップ付きポンプ式液体噴出器を採用した容器を模式的に一部縦断面で示す側面図である。図２は、同噴出器を模式的に一部縦断面で示す側面図であり、図３は、図２の領域Ｘを示す拡大図である。また、図４は、本発明に係る、リング部材を上方から模式的に示す斜視図である。
【００１６】
符号１は、二点鎖線で示す容器３０の口部（以下、「容器口部」）３１の内側に配置されるシリンダである。シリンダ１は、容器口部３１の上端３１ｅに載置される環状部（以下、「シリンダ環状部」）１ａを有し当該シリンダ環状部１ａの内側から胴部１ｂが垂下する。胴部１ｂは、その下端１ｃに吸入口Ａ1が形成されている。吸入口Ａ1には、容器３０の内側に延在するパイプＰが固定されている。また、シリンダ１の胴部１ｂには、吸入口Ａ1側の上部内周に、軸線Ｏ周りに間隔を空けて複数の縦リブ１ｒが形成されている。
【００１７】
符号２は、シリンダ１の胴部１ｂ内側に摺動可能に保持され当該シリンダ１との間に内容液の充填空間Ｃを形成するピストンである。ピストン２は、その内側に筒状部２ａを有し、この筒状部（以下、「ピストン筒状部」）２ａの上端部位がシール部位２ｓを構成する。
【００１８】
符号３は、ピストン２を保持する中空のガイド部材である。ガイド部材３は、ピストン筒状部２ａを貫通する軸部（以下、「ガイド軸部」）３ａを有する。ガイド軸部３ａには、ピストン筒状部２ａを摺動可能に保持する複数の縦リブ３ｒが形成されている。これにより、ピストン２とガイド部材３との間には、ピストン２の上動によって開放される一方、当該ピストン２の下動によって閉じられる複数の通路ｒ1が形成される。
【００１９】
また、ガイド部材３は、その下端（以下、「ガイド下端」）３ｂがリターンスプリングとして例示される弾性部材４を介してシリンダ１に形成された複数の縦リブ１ｒに弾性支持されている。ガイド下端３ｂには、通路ｒ1に通じる開口部Ａ2が形成されている。これにより、開口部Ａ2からの内溶液は、ピストン２とガイド部材３との間に形成された通路ｒ1に供給される。
【００２０】
符号５は、ガイド部材３の内側で摺動可能に保持される軸部５ａを有し吸入口Ａ1を封止可能としたバルブである。バルブ５の下端５ｂには、軸線周りに間隔を空けて複数のフィン５ｃが形成されている。このため、バルブ５は、当該フィン５ｃと縦リブ１ｒとが軸線Ｏ周りで互い違いになることで、吸入口Ａ1側に配置される。
【００２１】
符号６は、ガイド軸部３ａ上端側に固定されるステムである。ステム６は、ピストン筒状部２ａを取り囲む大径部（以下、「ステム大径部」）６ａを有し、このステム大径部６ａの内側は、ピストン２のシール部位２ｓを液密状態に保持している。また、ステム６の下端（以下、「ステム下端」）６ｂは、ピストン２の上方への移動を規制する。
【００２２】
また、ステム６は、その内周に、軸線Ｏ周りに間隔を空けて複数の縦リブ６ｒが形成されている。これら縦リブ６ｒは、ガイド軸部３ａを固定保持する。これにより、ガイド部材３とステム６との間には、ステム６の内側に形成された通路ｒ3に通じる複数の通路ｒ2が形成されるため、通路ｒ2からの内溶液は、ステム６の内側に形成された通路ｒ3に供給される。
【００２３】
符号７は、ステム６の上端６ｅ側に固定される噴出ヘッドである。噴出ヘッド７は、バルブ５と共にピストン２の上下動を生起させる。噴出ヘッド７は、ノズル７ａを有し、その先端には、ステム３の内側に形成された通路ｒ3に通じる噴出口Ａ3が形成されている。噴出口Ａ3は、図１に示すように、パイプＰの導入口Ａoと同一方向を向いている。
【００２４】
符号８は、シリンダ１の内側にステム６を固定するリング部材である。リング部材８は、図４に示すように、筒状の本体（以下、「リング部材本体」）８ａを有し、この内側にステム６を貫通させる開口部Ａ4を有する。
【００２５】
リング部材本体８ａの外周には、環状の膨出部８ａ1が形成されている。膨出部８ａ1は、図３に示すように、シリンダ胴部１ｂの内側に形成された環状の凹部１ｄに嵌合することで、リング部材８をシリンダ１の内側に固定する。
【００２６】
符号９は、容器口部３１にネジ付けられるスクリューキャップである。スクリューキャップ９は、シリンダ環状部１ａの上方に配置される天壁９ａを有し、この天壁９ａの外縁には、容器口部３１の周りにネジ付けられる外筒部９ｂが垂下する。外筒部９ｂには、オーバーキャップ１０が着脱可能に装着されている。
【００２７】
また、天壁９ａの内側には、図３に示すように、リング部材８の上端を露出させる開口部Ａ5が形成されている。天壁９ａのうち、開口部Ａ5を形作る内周縁９ａ1側は、その下端９ａ2の一部が軸線Ｏの周りを環状に切り欠かれて段部Ｓを形成する。
【００２８】
これに対し、リング部材本体８ａの外周には、図３に示すように、天壁９ａ上方から外向きに突出し当該天壁９ａの上端９ａ3を抜け止め保持する突部８ｂが設けられている。これにより、スクリューキャップ９は、リング部材８の周りに回転可能に抜け止め保持される。
【００２９】
なお、突部８ｂは、図４に示すように、リング部材本体８ａの全周に亘って形成された膨出部位であるが、リング部材本体８ａの周りの少なくとも一箇所に形成された膨出部位とすることもできる。
【００３０】
また、本形態では、図３に示すように、リング部材本体８ａの外周に、シリンダ環状部１ａ上方から外向きに突出し天壁９ａの下端９ａ2のうち、段部Ｓ側の下端９ａ2を支持する棚部８ｃが設けられている。これにより、リング部材本体８ａの外周には、突部８ｂと棚部８ｃとで区画された環状の溝部Ｇが形成されることで、天壁９ａの内周縁９ａ1は、突部８ｂと棚部８ｃとの間に介在することになる。即ち、本形態では、スクリューキャップ９を、実質、リング部材８の外周に形成された環状の溝部Ｇで回転可能に保持している。
【００３１】
上述したとおり、本発明では、リング部材８の外周に、スクリューキャップ９の天壁９ａ上方から外向きに突出し当該天壁９ａの上端９ａ3を抜け止め保持する突部８ｂを設けたことから、スクリューキャップ９がシリンダ１及びリング部材８の周りに回転可能に保持されるので、スクリューキャップ９を回して容器３０にネジ付ける操作を行ったときも、スクリューキャップ９以外のリング部材８等の部材は、スクリューキャップ９に対して空回りすることになる。即ち、本発明によれば、スクリューキャップ９をネジ付ける操作とは別個の操作で、噴出ヘッド７の噴出口Ａ4やパイプＰ（導入口Ａo）を所望する向きに合わせることができる。
【００３２】
特に、個々の部材が強固に組み付けられているときも、本発明のポンプ式液体噴出器によれば、容器３０への組み付ける操作とは別個の操作で、噴出ヘッド７ごと、シリンダ１全体をスクリューキャップ９ａに対して回転させることができるので、図１に示すように、噴出ヘッド７とパイプＰとが同一方向に向くように容易に位置合わせすることができる。
【００３３】
また、本形態の如く、上記突部８ｂを、リング部材８の全周に亘って形成された部位とすれば、スクリューキャップ９に対して強固に組み付けることができるので、耐久性能を高めつつ、噴出ヘッド７の向きを容易に位置合わせすることができる。また、上記突部８ｂを、リング部材８の周りの少なくとも一箇所に形成された部位とすれば、リング部材８に対するスクリューキャップ９の組み付けが比較的容易になるので、組み付け作業性及び生産性を高めつつ、噴出ヘッド７やパイプＰの向きを容易に位置合わせすることができる。
【００３４】
更に、リング部材８の外周に、シリンダ環状部１ａ上方から外向きに突出し天壁９ａを支持する棚部８ｃを設け、当該棚部８ｃと突部８ｂとの間に天壁９ａを介在させれば、スクリューキャップ９をリング部材８そのもので保持できるため、レイアウトの自由度を高めつつ、噴出ヘッド７やパイプＰの向きを容易に位置合わせすることができる。
【００３５】
上述したところは、本発明の一形態を示したに過ぎず、特許請求の範囲内において、種々の変更を加えることができる。例えば、本発明に従う液体噴出器は、噴出ヘッドの押し込み及び復帰の繰返し動作によって容器内に負圧を発生させることで、流体の噴出を可能とするものであれば、泡状の噴出を伴わないポンプ式液体噴出器に限ることなく、その他、泡状の噴出を伴うフォーマーディスペンサ等の公知のディスペンサも含むものである。
【産業上の利用可能性】
【００３６】
本発明は、その流体の粘性を問わずに使用することができ、例えば、液体石鹸、シャンプー、リンス等の家庭用用品や、乳液等の化粧用容器に採用することができる。
【図面の簡単な説明】
【００３７】
【図１】本発明の一形態である、オーバーキャップ付きポンプ式液体噴出器を採用した容器を模式的に一部縦断面で示す側面図である。
【図２】同液体噴出器を模式的に一部縦断面で示す側面図である。
【図３】図２の領域Ｘを示す拡大図である。
【図４】本発明に係る、リング部材を上方から模式的に示す斜視図である
【符号の説明】
【００３８】
１    シリンダ
２    ピストン
３    ガイド部材
４    弾性部材
５    バルブ
６    ステム
７    噴出ヘッド
８    リング部材
８ａ  リング部材本体
８ｂ  突部
８ｃ  棚部
９    スクリューキャップ
９ａ  天壁
９ａ1 天壁内周縁
９ａ2 天壁下端
９ａ3 天壁上端
１０  オーバーキャップ
Ｓ    段部
【図１】
2010155635.tif 000003
【図２】
2010155635.tif 000004
【図３】
2010155635.tif 000005
【図４】
2010155635.tif 000006